(57)【特許請求の範囲】
【請求項１】
一つの第一の分流端子（１６１）と、少なくとも二つの端子を第一の制御巻線（１１）の割り振られた第一のタップ（１２）と接続することが可能な三つの第一の切換端子（１６２）とを備えた第一の負荷時タップ切換器（１６）、並びに
一つの第二の分流端子（１７１）と、少なくとも二つの端子を第二の制御巻線（１３）の割り振られた第二のタップ（１４）と接続することが可能な三つの第二の切換端子（１７２）とを備えた第二の負荷時タップ切換器（１７）、
を有する、第一と第二の制御巻線（１１，１３）を備えた電気設備（１０）のための切換装置（１５）において、
この第二の分流端子（１７１）が第一の分流端子（１６１）と接続されているか、或いは第一のタップ（１２）に割り振られていない第一の切換端子（１６２’’）と接続されており、
少なくとも第一と第二の負荷時タップ切換器（１６，１７）を設置するための台座（３２）が設けられており、
第一の負荷時タップ切換器（１６）が第一の負荷切換器（２５’）と第一の選択器（１６３）を有し、
第二の負荷時タップ切換器（１７）が第二の負荷切換器（２５’’）と第二の選択器（１７３）を有し、
当該の台座（３２）が負荷切換器用台座（３２１）と選択器用台座（３２２）を有し、  これらの負荷切換器（２５’，２５’’）が負荷切換器用台座（３２１）に設置され、これらの選択器（１６３，１７３）が選択器用台座（３２２）に設置される、
切換装置。
【請求項２】
請求項１に記載の切換装置（１５）において、
この切換装置が、一つの第三の分流端子（３０１）と、少なくとも二つの端子をこの設備（１０）の第三の制御巻線（２８）の割り振られた第三のタップ（２９）と接続することが可能な三つの第三の切換端子（３０２）とを備えた第三の負荷時タップ切換器（３０）を有し、
第二の分流端子（１７１）が第一のタップ（１２）に割り振られていない第一の切換端子（１６２’’）と接続されており、
第一の分流端子（１６１）が第三の分流端子（３０１）又は第三のタップ（２９）に割り振られていない第三の切換端子（３０２’’）と接続されている、
切換装置。
【請求項３】
請求項１又は２に記載の切換装置（１５）において、
負荷時タップ切換器（１６，１７，３０）の中の少なくとも一つが、二つの予選択器端子（１８１，１８２）と一つの基本端子（１８３）を備えた予選択器（１８）を有する切換装置。
【請求項４】
請求項３に記載の切換装置（１５）において、
予選択器（１８）の中の少なくとも一つが転極器として構成されており、
予選択器端子（１８１，１８２）が、各負荷時タップ切換器（１６，１７）に割り振られた制御巻線（１１，１３）の終端と接続することが可能であり、
基本端子（１８３）が、この設備（１０）の第一の設備端子（１０１）又はこの制御巻線（１１，１３）と誘導結合された主巻線（２３，２４）の終端と接続することが可能である、
切換装置。
【請求項５】
請求項３又は４に記載の切換装置（１５）において、
予選択器（１８）の中の少なくとも一つが粗選択器として構成されており、
基本端子（１８３）が、各負荷時タップ切換器（１６，１７）に割り振られた制御巻線（１１，１３）の終端と接続することが可能であり、
予選択器端子（１８１，１８２）が、この制御巻線（１１，１３）と誘導結合された粗巻線（１９，２０）の終端と接続することが可能である、
切換装置。
【請求項６】
請求項１から５までのいずれか一つに記載の切換装置（１５）において、
少なくとも二つの負荷時タップ切換器（１６，１７，３０）は、それらが同じ手順で、特に、同期して切り換わるように連動している切換装置。
【請求項７】
請求項１から６までのいずれか一つに記載の切換装置（１５）において、
第一と第二の負荷時タップ切換器（１６，１７）が、共通の切換機器（３１）内に統合されるか、或いは共通の切換機器（３１）により実現又は構成される切換装置。
【請求項８】
二つの第一のタップ（１２）を備えた第一の制御巻線（１１）と、
二つの第二のタップ（１４）を備えた第二の制御巻線（１３）と、
請求項１から７までのいずれか一つに基づき構成された切換装置（１５）、及び／又は  一つの第一の分流端子（１６１）と、少なくとも二つの端子を割り振られた第一のタップ（１２）と接続している三つの第一の切換端子（１６２）とを備えた第一の負荷時タップ切換器（１６）、並びに
一つの第二の分流端子（１７１）と、少なくとも二つの端子を割り振られた第二のタップ（１４）と接続している三つの第二の切換端子（１７２）とを備えた第二の負荷時タップ切換器（１７）、
を有する切換装置（１５）と、
を備えた電気設備（１０）において、
この第二の分流端子（１７１）が第一の分流端子（１６１）と接続されているか、或いは第一のタップ（１２）に割り振られていない第一の切換端子（１６２’’）と接続されている設備。
【請求項９】
請求項８に記載の設備（１０）において、
この電気設備が二つの第三のタップ（２９）を備えた第三の制御巻線（２８）を有し、  第二の分流端子（１７１）が第一のタップ（１２）に割り振られていない第一の切換端子（１６２）と接続されており、
この切換装置（１０）が、一つの第三の分流端子（３０１）と、少なくとも二つの端子を割り振られた第三のタップ（２９）と接続している三つの第三の切換端子（３０２）とを備えた第三の負荷時タップ切換器（３０）を有し、
第一の分流端子（１６１）が第三の分流端子（３０１）又は第三のタップ（２９）に割り振られていない第三の切換端子（３０２’’）と接続されている、
設備。
【請求項１０】
請求項８又は９に記載の設備（１０）において、
少なくとも一つの制御巻線（１１，１３）と誘導結合された、特に、直列に接続された主巻線（２３，２４）を有する設備。
【請求項１１】
請求項８から１０までのいずれか一つに記載の設備（１０）において、
少なくとも二つの制御巻線（１１，１３，２８）が、誘導結合されることと、同じ又は所定の磁力線を通過させることと、同じ又は所定の相に割り振られることと、共通の磁心上に設置されることと、同じ又は所定の磁気回路に割り振られることとの中の一つ以上を実施されている設備。
【請求項１２】
請求項８から１１までのいずれか一つに記載の設備（１０）において、
本設備が補償チョークとして構成されるか、或いは補償チョークの少なくとも一部を構成する設備。
【請求項１３】
請求項１から７までのいずれか一つに基づき構成された切換装置（１５）の使用方法において、
第一と第二の制御巻線（１１，１３）を有する、特に、請求項８から１２までのいずれか一つに基づき構成された電気設備（１０）の制御、調節、設定及び切換の中の一つ以上を実施するために、この切換装置を使用する方法。
【請求項１４】
請求項１３に記載の使用方法において、
当該の制御、調節、設定及び切換の中の一つ以上が、制御巻線（１１，１３）の各々において有効な制御巻線数を変更することによって実施されている使用方法。
【請求項１５】
請求項１３又は１４に記載の使用方法において、
当該の設備（１０）が補償チョーク、制御変圧器又は電流変換器用変圧器として構成されている使用方法。
【請求項１６】
請求項８から１２までのいずれか一つに基づき構成された電気設備（１０）を補償チョーク、制御変圧器又は電流変換器用変圧器として使用する方法。
【請求項１７】
第一と第二の制御巻線（１１，１３）を備えた電気設備（１０）のための切換機器において、
請求項１から７までのいずれか一つに基づき構成された切換装置（１５）を有する切換機器。
【請求項１８】
請求項１から７までのいずれか一つに基づき構成された切換装置（１５）における切換機器の使用方法において、
第一と第二の負荷時タップ切換器（１６，１７）を構造ユニットとして統合する共通の切換機器又は第一と第二の負荷時タップ切換器（１６，１７）を実現又は構成する共通の切換機器として使用する方法。
【発明の詳細な説明】
【技術分野】
【０００１】
本発明は、二つの負荷時タップ切換器を有する切換装置、二つの制御巻線とこの切換装置を有する電気設備、この切換装置の使用方法及びこの設備の使用方法に関する。
【背景技術】
【０００２】
特許文献１は、主巻線、複数の個別タップを備えた密タップ巻線、タップ切換器及びそれぞれ二つの隣接する個別タップの間を無負荷電流状態において切り換える連結切換器を有する制御可能なチョークコイルを記載している。各連結切換器は、それぞれ二つの個別タップを直列に接続するか、或いは片側を主巻線の終端と連結することができる。
【０００３】
更に、制御変圧器において、負荷時タップ切換器により制御巻線のタップを選択して、制御巻線を主巻線と直列に接続することが知られている。
【先行技術文献】
【特許文献】
【０００４】
【特許文献１】ドイツ特許公開第１９５０４６６号明細書
【特許文献２】ドイツ特許公開第１０２００９０４３１７１号明細書
【特許文献３】ドイツ特許公開第１０２０１００１９９４８号明細書
【特許文献４】国際特許公開第２０１２０７９６６６号明細書
【特許文献５】ドイツ特許公開第１０２０１１０１０３８８号明細書
【特許文献６】ドイツ特許公開第１０２０１１０１２０８０号明細書
【発明の概要】
【発明が解決しようとする課題】
【０００５】
前述した背景に鑑みて、本発明は、独立請求項に記載された対象を提案する。本発明の有利な改善構成及び実施構成は、従属請求項に記載されている。
【課題を解決するための手段】
【０００６】
以下において、「ＡがＢと連結されている」との表現が「ＡがＢと接続されている」との表現と同じである場合、「ＡがＢと接続されている」との表現は、「Ａが直接的にＢと通電形態で接続されている」ことと、「Ａが間接的に、即ち、Ｃを介してＢと通電形態で接続されている」こととを意味し、「ＡがＢと繋がれている」との表現は、「Ａが直接的にＢと通電形態で接続されている」ことを意味する。
【０００７】
本発明は、第一の観点において、第一と第二の制御巻線を備えた電気設備のための切換装置であって、
一つの第一の分流端子と、少なくとも二つの端子を第一の制御巻線の割り振られた第一のタップと接続しておくか、或いは接続することが可能な少なくとも三つの第一の切換端子とを備えた第一の負荷時タップ切換器と、
一つの第二の分流端子と、少なくとも二つの端子を第二の制御巻線の割り振られた第二のタップと接続しておくか、或いは接続することが可能な少なくとも三つの第二の切換端子とを備えた第二の負荷時タップ切換器と、
を有し、
この第二の分流端子が第一の分流端子と接続されているか、或いは第一のタップに割り振られていない第一の切換端子と接続されている、
切換装置を提案する。
【０００８】
以下では、第二の切換端子と接続されている第一の切換端子は「接続端子」又は「第一の接続端子」とも呼ばれ、第一のタップの中の一つに割り振られている第一の切換端子はそれぞれ「第一のタップ端子」とも呼ばれ、第二のタップの中の一つに割り振られている第二の切換端子はそれぞれ「第二のタップ端子」とも呼ばれる。
【０００９】
そのため、ここで提案する切換装置では、第一の切換端子の中の少なくとも二つが第一のタップ端子でもあり、第二の切換端子の中の少なくとも二つが第二のタップ端子でもある。更に、第二の分流端子は、第一の分流端子又は第一の接続端子と間接的又は直接的に通電形態で接続されている。第二の分流端子が第一の分流端子と接続されている第一の場合には、第一の接続端子は不要であり、その結果、少なくとも二つの第一の切換端子だけでなく、少なくとも三つ又は全部の第一の切換端子を第一のタップ端子とすることができる。第二の分流端子が第一の接続端子と接続されている第二の場合には、第一の切換端子の中の一つが第一の接続端子でなければならず、その結果、高々残余の第一の切換端子を第一のタップ端子とすることができる。
【００１０】
ここで提案する切換装置によって、選択的に、第一の制御巻線の少なくとも一部と第二の制御巻線の少なくとも一部を直列に接続するか、或いは第一の制御巻線の少なくとも一部及び／又は第二の制御巻線の少なくとも一部をバイパスすることが可能であり、そのため、負荷時タップ切換器を相応に高い電圧及び／又は電流に対して設計する必要無しに、制御範囲の大きな拡大及び／又はステップ数の大きな増大が可能である。
【００１１】
そのようにして、例えば、この切換装置の極端な位置において、負荷時タップ切換器が、第一の制御巻線の最小限の巻線領域だけを第二の制御巻線の最小限の巻線領域と直列に接続することができ、そのことは、全体として、有効な制御巻線数、即ち、制御巻線の電流が流れる、或いは電流を流すことが可能な巻線の数を最小限にする。それどころか、この切換装置は、二つの制御巻線を完全にバイパスすることができ、そのことは、有効な制御巻線数をゼロに等しくする。この切換装置の別の極端な位置では、負荷時タップ切換器が、例えば、各制御巻線において、最大限の巻線領域全体をタップオフして、それらを直列に接続する。
【００１２】
ここで提案する切換装置は、必要に応じて任意の形態に、例えば、
単相又は多相、特に、二相又は三相に、及び／又は
追加の負荷時タップ切換器を少なくとも一つ備えるか、或いは何ら備えないように、
構成することができる。
【００１３】
各負荷時タップ切換器は、必要に応じて任意の形態に、例えば、
単相又は多相、特に、二相又は三相に、及び／又は
機械的な切換接点、真空開閉管及び半導体スイッチの中の一つ以上を備えた負荷時タップ切換器として、及び／又は
特許文献２〜６に記載されている通り、及び／又は
負荷選択器又は負荷切換器として、即ち、選択器と負荷切換器を備えた負荷時タップ切換器として、及び／又は
残余の負荷時タップ切換器の中の少なくとも一つと構造が同じ、或いは異なるように、及び／又は
少なくとも一つの追加の切換端子及び／又は少なくとも一つの追加のタップ端子を備えるように、及び／又は
残余の負荷時タップ切換器の中の少なくとも一つに依存して、或いは依存しないで操作、切換及び制御の中の一つ以上を実施できるように、
構成することができる。
【００１４】
各端子は、必要に応じて任意の形態に、例えば、固定接点又はそれ以外の端子として構成することができる。
【００１５】
有利には、
切換装置が電気設備の所定の相に割り振られるように、及び／又は
負荷時タップ切換器が電気設備の同じ又は所定の相に割り振られる、及び／又は同じ又は所定の磁気回路に割り振られるように、及び／又は
第二の分流端子が第一の分流端子又は第一の接続端子とのみ又は排他的に接続されるように、及び／又は
第二の分流端子と第一の分流端子又は第一の接続端子との接続が分岐を有さないように、及び／又は
第二の分流端子が第一の分流端子又は第一の接続端子と直列に接続されるように、及び／又は
負荷時タップ切換器が、第二の分流端子と第一の分流端子又は第一の接続端子との接続によって直列に接続されるように、及び／又は
第二の分流端子と第一の分流端子又は第一の接続端子との間接的な接続が、例えば、少なくとも一つの抵抗、少なくとも一つのインダクタンス、少なくとも一つのコンデンサ及び少なくとも一つのスイッチの中の一つ以上を有する電気的な二極により実施されるように、及び／又は
第二の分流端子と第一の分流端子又は第一の接続端子との間接的な接続が、電気設備の巻線の中の一つ及び／又は負荷時タップ切換器の中の一つを介さないで実施されるように、
構成することができる。
【００１６】
第一の代替形態では、第二の分流端子が第一の分流端子と接続されていると規定又は特定することができる。
【００１７】
第二の代替形態では、第二の分流端子が第一の接続端子と接続されていると規定又は特定することができる。
【００１８】
そして、第一の分流端子は、例えば、アース又は地電位、三角形結線の交点又は頂点、電気設備の設備端子、電気設備の分流部、或いは交流電力網の電力線と接続しておくか、或いは接続することができる。この分流部自体は、例えば、アース又は地電位、或いは三角形結線の交点又は頂点と接続しておくか、或いは接続することができる。
【００１９】
この電力線は、必要に応じて任意の形態に構成することができ、例えば、交流電力網の一つの相に割り振るか、或いは中性導線として、交流電力網の中性点又はスター点に割り振ることができる。
【００２０】
交流電力網が多相である場合、例えば、ここで提案する切換装置は、それに対応して多相に構成することができる。それに代わって、例えば、相毎に、ここで提案する切換装置の中の一つを各電力線と接続されている、或いは接続することが可能な単相構成で配備又は設置することができる。
【００２１】
この切換装置が、
一つの第三の分流端子と、少なくとも二つの端子を電気設備の第三の制御巻線の割り振られた第三のタップと接続することが可能な三つの第三の接続端子とを備えた第三の負荷時タップ切換器を有し、
第二の分流端子が第一のタップに割り振られていない第一の切換端子と接続されており、
第一の分流端子が第三の分流端子又は第三のタップに割り振られていない第三の切換端子と接続されている、
と規定又は特定することができる。
【００２２】
負荷時タップ切換器の中の少なくとも一つが、二つの予選択器端子と一つの基本端子を備えた予選択器を有すると規定又は特定することができる。
【００２３】
これらの予選択器の中の少なくとも一つが転極器として構成されており、
これらの予選択器端子は、各負荷時タップ切換器に割り振られた制御巻線の終端と接続することが可能であり、
この基本端子は、この設備の第一の設備端子又はこの制御巻線と誘導結合された主巻線の終端と接続することが可能である、
と規定又は特定することができる。
【００２４】
これらの予選択器の中の少なくとも一つが粗選択器として構成されており、
この基本端子は、各負荷時タップ切換器に割り振られた制御巻線の終端と接続することが可能であり、
この予選択器端子は、この制御巻線と誘導結合された、特に、この制御巻線から電気的に分離された粗巻線の終端と接続することが可能である、
と規定又は特定することができる。
【００２５】
少なくとも二つの負荷時タップ切換器は、それらが同じ手順で、特に、同期して切り換わると規定又は特定することができる。
【００２６】
この場合、「同じ手順で切り換わる」とは、連動する負荷時タップ切換器の各々が磁力線に関して有効巻線数を増減することを意味する。
【００２７】
有利には、第一と第二の負荷時タップ切換器が同じ切換機器内に統合されるか、或いは共通の切換機器により実現又は構成されると特定される。
【００２８】
有利には、この切換機器は、第五の観点に基づき構成される。
【００２９】
有利には、この切換機器は、少なくとも第一と第二の負荷時タップ切換器を設置するための台座を有すると特定される。
【００３０】
有利には、
第一の負荷時タップ切換器が第一の負荷切換器と第一の選択器を有し、
第二の負荷時タップ切換器が第二の負荷切換器と第二の選択器を有し、
この台座が、負荷切換器用台座と選択器用台座を有し、
負荷切換器が負荷切換器用台座に設置され、選択器が選択器用台座に設置される、
と特定される。
【００３１】
本発明は、第二の観点に基づき、
少なくとも二つの第一のタップを備えた第一の制御巻線と、
少なくとも二つの第二のタップを備えた第二の制御巻線と、
第一の観点に基づき構成された切換装置、及び／又は一つの第一の分流端子と、少なくとも二つの端子を割り振られた第一のタップと接続している少なくとも三つの第一の切換端子とを備えた第一の負荷時タップ切換器、並びに一つの第二の分流端子と、少なくとも二つの端子を第二の制御巻線の割り振られた第二のタップと接続している少なくとも三つの第二の切換端子とを備えた第二の負荷時タップ切換器を有する切換装置と、
を備え、
第二の分流端子が、第一の分流端子と接続されているか、或いは第一のタップに割り振られていない第一の接続端子と接続されている、
電気設備を提案する。
【００３２】
ここで提案する設備は、必要に応じて任意の形態に、例えば、
単相又は多相、特に、二相又は三相に、及び／又は
追加の制御巻線を少なくとも一つ備えるか、或いは何ら備えないか、及び／又は少なくとも一つの主巻線及び／又は少なくとも一つの粗巻線を備えるように、
構成することができる。
【００３３】
この設備が多相に構成されている場合、例えば、それに対応して切換装置も同じく多相に構成することができる。それに代わって、例えば、相毎に、単相式切換装置を配備又は設置することができる。複数の単相式切換装置は、例えば、星形結線又は三角形結線により相互接続することができる。
【００３４】
各制御巻線は、必要に応じて任意の形態に、例えば、その制御巻線が、
別個の巻線、或いは、特に、残余の制御巻線の中の少なくとも一つ及び／又は少なくとも一つの主巻線を更に有する巻線全体の一部又は一区画を形成するように、及び／又は
残余の制御巻線から電気的に分離されるか、或いは残余の制御巻線の中の少なくとも一つと直列に接続されるように、及び／又は
残余の制御巻線の中の少なくとも一つと構造が同じ、或いは異なるように、及び／又は
追加のタップを少なくとも一つ備えるか、或いは何ら備えないように、
構成することができる。
【００３５】
各切換装置は、必要に応じて任意の形態に、例えば、第一の観点に基づき提案した切換装置の中の一つの通り構成することができる。
【００３６】
有利には、
この設備が、第一の制御巻線と接続された第一の設備端子と、第二の制御巻線と接続された第二の設備端子とを有し、
特に、第一の設備端子が第一の制御巻線の第一の終端と接続されている、及び／又は第二の設備端子が第二の制御巻線の第一の終端又は第一の分流端子と接続されている、
と規定又は特定される。
【００３７】
これらの設備端子を介して、この設備は、例えば、交流電力網と接続することができる。
【００３８】
交流電力網が多相である場合、例えば、ここで提案する設備は、それに対応して多相に構成して、相毎に、それに対応する設備部分を交流電力網の各電力線と接続しておくか、或いは接続することができる。それに代わって、例えば、相毎に、ここで提案する設備の中の一つを各電力線と接続しておくか、或いは接続することが可能な単相構成で配備又は設置することができる。
【００３９】
各分流端子は、例えば、アース又は地電位、三角形結線の交点又は頂点、電気設備の設備端子、電気設備の分流部、或いは電力線と接続しておくか、或いは接続することができる。この分流部自体は、例えば、アース又は地電位、或いは三角形結線の交点又は頂点と接続しておくか、或いは接続することができる。
【００４０】
各電力線は、必要に応じて任意の形態に構成することができ、例えば、交流電力網の一つの相に割り振るか、或いは中性導線として、交流電力網の中性点又はスター点に割り振ることができる。
【００４１】
この設備は、
二つの第三のタップを備えた第三の制御巻線を有し、
第二の分流端子が、第一のタップに割り振られていない第一の切換端子と接続されており、
この切換装置が、一つの第三の分流端子と少なくとも二つの端子を割り振られた第三のタップと接続されている三つの第三の切換端子とを備えた第三の負荷時タップ切換器を有し、
第一の分流端子が、第三の分流端子又は第三のタップに割り振られていない第三の切換端子と接続されている、
と規定又は特定することができる。
【００４２】
この設備は、少なくとも一つの制御巻線と誘導結合された、特に、直列に接続された主巻線を有すると規定又は特定することができる。
【００４３】
少なくとも一つの負荷時タップ切換器が二つの予選択器端子と一つの基本端子を備えた予選択器を有すると規定又は特定することができる。
【００４４】
この予選択器は、必要に応じて任意の形態に、例えば、
転極器、粗選択器又は複式粗選択器として、及び／又は
追加の予選択器端子を少なくとも一つ備えるか、或いは全く備えないように、
構成することができる。
【００４５】
少なくとも一つの予選択器が転極器として構成されており、
これらの予選択器端子は、各負荷時タップ切換器に割り振られた制御巻線の終端と接続されており、
この基本端子は、この設備の第一の設備端子又はこの制御巻線と誘導結合された主巻線の終端と接続されている、
と規定又は特定することができる。
【００４６】
この設備が、
予選択器を備えた負荷時タップ切換器の中の少なくとも一つに割り振られている、誘導結合された、特に、それから電気的に分離された粗選択器を有し、
この予選択器が粗選択器として構成されており、
これらの予選択器端子が粗巻線の終端と接続されており、
この基本端子がこの制御巻線の終端と接続されている、
と規定又は特定することができる。
【００４７】
制御巻線の中の少なくとも一つにおいて、導線の横断面の面積が一定であり、及び／又は
少なくとも二つの制御巻線が、誘導結合され、及び／又は同じ又は所定の磁力線を通過させ、及び／又は同じ又は所定の相に割り振られ、及び／又は共通の磁心上に設置され、及び／又は同じ又は所定の磁気回路に割り振られ、及び／又は
制御巻線が負荷時タップ切換器を介して直列に接続されている、
と規定又は特定することができる。
【００４８】
この設備が補償チョークとして構成されるか、或いは補償チョークの少なくとも一部を構成すると規定又は特定することができる。
【００４９】
この設備が、一次側と二次側を備えた制御変圧器として構成されるか、或いは一次側と二次側を備えた制御変圧器の少なくとも一部を構成し、制御巻線が一次側又は二次側の少なくとも一部を構成すると規定又は特定することができる。
【００５０】
この制御変圧器が電流変換器用変圧器として構成されると規定又は特定することができる。
【００５１】
高電圧直流伝送変圧器とも呼ばれる電流変換器用変圧器は、高電圧直流伝送（ＨＧＵＥ）時に３相交流から直流への変換及びその逆の変換を実施する電流変電所で使用される。
【００５２】
第三の観点において、本発明は、第一及び第二の制御巻線を有する、特に、第二の観点に基づき構成された電気設備の制御、調節、設定及び切換の中の一つ以上を実施するために第一の観点に基づき構成された切換装置を使用する方法を提案する。
【００５３】
これらの制御、調節、設定及び切換の中の一つ以上は、制御巻線の各々において有効な制御巻線数を変化させることによって実施され、及び／又は
この設備が補償チョーク、制御変圧器又は電流変換器用変圧器として構成される、
と規定又は特定することができる。
【００５４】
第四の観点において、本発明は、第二の観点に基づき構成された電気設備を補償チョーク、制御変圧器又は電流変換器用変圧器として使用する方法を提案する。
【００５５】
第五の観点において、本発明は、第一の観点に基づき構成された切換装置を有する、第一及び第二の制御巻線を備えた電気設備のための切換機器を提案する。
【００５６】
有利には、この切換機器は、少なくとも第一と第二の負荷時タップ切換器を設置するための台座を有すると特定される。
【００５７】
有利には、
第一の負荷時タップ切換器が第一の負荷切換器と第一の選択器を有し、
第二の負荷時タップ切換器が第二の負荷切換器と第二の選択器を有し、
この台座が、負荷切換器用台座と選択器用台座を有し、
負荷切換器が負荷切換器用台座に設置され、選択器が選択器用台座に設置される、
と特定される。
【００５８】
第六の観点において、本発明は、第一と第二の負荷時タップ切換器を構造ユニットとして統合するか、或いは第一と第二の負荷時タップ切換器を実現又は構成する共通の切換機器として、第一の観点に基づき構成された切換装置において切換機器を使用する方法を提案する。
【００５９】
有利には、この切換機器は、第五の観点に基づき構成される。
【００６０】
第七の観点において、本発明は、第一の観点に基づき構成された切換装置を製造するために、第五の観点に基づき構成された切換機器を使用する方法を提案する。
【００６１】
本発明の観点の中の一つ、特に、その観点の個々の特徴に関する記述及び説明は、それに対応して、本発明のそれ以外の観点に関しても同様に有効である。
【００６２】
以下において、添付図面に基づき本発明の実施構成を例示して説明する。しかし、それらから明らかなとなる特徴は、個々の実施構成に限定されず、別の前述した個々の特徴及び／又は別の実施構成の個々の特徴と関連付ける及び／又は組み合わせることができる。図面における細部は単に説明するためのものであるが、本発明を制限するものと解釈してはならない。請求項に含まれる符号は、本発明の保護範囲を決して制限せず、図面に図示された実施構成を参照するだけである。
【図面の簡単な説明】
【００６３】
【図１】二つの制御巻線と切換装置の第一の実施構成を備えた電気設備の第一の実施構成の模式図
【図２】本切換装置の第二の実施構成を備えた本設備の第二の実施構成の模式図
【図３】本切換装置の第三の実施構成を備えた本設備の第三の実施構成の模式図
【図４】本設備の第四の実施構成の模式図
【図５】本設備の第五の実施構成の模式図
【図６】本切換装置の第四の実施構成を備えた本設備の第六の実施構成の模式図
【図７】本切換装置の第五の実施構成を備えた本設備の第七の実施構成の模式図
【図８】本切換装置のための負荷時タップ切換器の第一の実施構成の模式図
【図９】本負荷時タップ切換器の第二の実施構成の模式図
【図１０】本切換装置の第六の実施構成を備えた本設備の第八の実施構成の模式図
【図１１】本切換装置の第七の実施構成を備えた本設備の第九の実施構成の模式図
【図１２】本切換装置の第八の実施構成を備えた本設備の第十の実施構成の模式図
【図１３】本切換装置の第九の実施構成を備えた本設備の第十一の実施構成の模式図
【図１４】本切換装置の第十の実施構成を備えた本設備の第十二の実施構成の模式図
【図１５】本切換装置の第十一の実施構成の模式図
【図１６】軸Ａ−Ａに沿った断面図
【図１７】軸Ｂ−Ｂに沿った断面図
【図１８】軸Ｃ−Ｃに沿った断面図
【図１９】軸Ｄ−Ｄに沿った断面図
【発明を実施するための形態】
【００６４】
図１には、例えば、（図示されていない）交流電力網において無効電力の供給、変更及び調整の中の一つ以上を実施する制御可能な補償チョークを構成する電気設備１０の第一の実施構成が模式的に図示されている。この設備１０は、交流電力網の（図示されていない）電力線に繋がっているか、或いは繋げることが可能な第一と第二の設備端子１０１，１０２を有する。
【００６５】
この実施構成では、設備１０は、四つの第一のタップ１２を備えた第一の制御巻線１１と、四つの第二のタップ１４を備えた第二の制御巻線１３と、第一の実施構成に基づき構成された切換装置１５とを有する。
【００６６】
この実施構成では、切換装置１５は、第一の分流端子１６１とも呼ばれる一つの分流端子１６１、第一の切換端子１６２とも呼ばれる四つの切換端子１６２及び第一の可動接点システム１６３とも呼ばれる可動接点システム１６３を備えた第一の負荷時タップ切換器１６と、第二の分流端子１７１とも呼ばれる一つの分流端子１７１、第二の切換端子１７２とも呼ばれる四つの切換端子１７２及び第二の可動接点システム１７３とも呼ばれる可動接点システム１７３を備えた第二の負荷時タップ切換器１７とを有する。
【００６７】
この第一の切換端子１６２は、それぞれ第一のタップ１２に割り振られて、そのタップと直接的に接続されており、第一のタップ端子とも呼ばれる。この第二の切換端子１７２は、それぞれ第二のタップ１４に割り振られて、そのタップと直接的に接続されており、第二のタップ端子とも呼ばれる。この第二の分流端子１７１は、第一の分流端子１６１と直接的に接続されている。
【００６８】
各可動接点システム１６３，１７３は、各分流端子１６１，１７１と接続されており、各タップ端子１６２，１７２の各々と選択的に通電接触させることができる。
【００６９】
図１で最も上の第一のタップ１２は、第一の制御巻線１１の上方の第一の終端及び第一の設備端子１０１と繋がっており、最も下の第一のタップ１２は、第一の設備端子１１の下方の第二の終端と繋がっているか、或いはその第二の終端を構成する。この最も下の第二のタップ１４は、第二の制御巻線１３の下方の第一の終端及び第二の設備端子１０２と繋がっており、最も上の第二のタップ１４は、第二の制御巻線１３の上方の第二の終端と繋がっているか、或いはその第二の終端を構成する。
【００７０】
第一の制御巻線１１と第一の設備端子１０１の間及び／又は第二の制御巻線１３の第一の終端と第二の設備端子１０２の間には、例えば、それぞれ少なくとも一つの（図示されていない）主巻線及び／又は少なくとも一つの（図示されていない）追加の制御巻線を直列に接続することができる。
【００７１】
この実施構成では、制御巻線１１，１３は、電気的に互いに分離されており、（図示されていない）共通の磁心上に設置されており、その結果、これらは、誘導結合されて、同じ磁力線を通過させる。
【００７２】
この実施構成では、制御巻線１１，１３は構造が同じであり、負荷時タップ切換器１６，１７は、同じ手順で同期して切り換わるように連動している。それは、可動接点システム１６３，１７３が各制御巻線１１，１３の第一又は第二の終端に向かって同時に動かされることを意味する。例えば、第一の可動接点システム１６３が、図１で上方に第一の制御巻線１１の第一の終端の方に動かされた場合、それと同時に第二の可動接点システム１７３が下方に第二の制御巻線１３の第一の終端の方に動かされる、並びにその逆である。
【００７３】
しかし、これらの可動接点システム１６３，１７３を時間的に互いに独立して、及び／又は任意の方向に動かせるようにすることも可能である。
【００７４】
図２には、この設備１０の第二の実施構成が模式的に図示されている。この実施構成は、図１の第一の実施構成と類似しており、そのため、以下では、特に、それらの相違点を詳しく説明する。
【００７５】
この実施構成では、第二の実施構成による切換装置１５は、図１の第一の実施構成と同様に構成されており、そのため、以下では、特に、それらの相違点を詳しく説明する。
【００７６】
この実施構成では、各負荷時タップ切換器１６，１７は、二つの予選択器端子１８１’，１８１’’；１８２’，１８２’’、一つの基本端子１８３’，１８３’’及び各基本端子１８３’，１８３’’と接続された、各予選択器端子１８１’，１８１’’；１８２’，１８２’’の各々と選択的に電気的に接触させることが可能な可動接点１８４’，１８４’’を備えた、転極器として構成された予選択器１８’，１８’’を有する。各負荷時タップ切換器１６，１７では、第一の予選択器端子１８１’，１８１’’は、各制御巻線２３，２４の第一の終端と直接的に接続されており、第二の予選択器端子１８２’，１８２’’は各制御巻線２３，２４の第二の終端と直接的に接続されており、基本端子１８３’，１８３は、各設備端子１０１，１０２と直接的に接続されている。
【００７７】
この実施構成は、各制御巻線２３，２４の接続方向を切り換えることも、それをバイパスすることも可能である。
【００７８】
有利には、各負荷時タップ切換器１６，１７は、各可動接点システム１６３，１７３により接触させることが可能である、各基本端子１８３と接続されているが、各タップ１２，１４の中の一つと接続されていない追加の切換端子１６２’，１７２’を有する。これらの追加の切換端子は、転流端子１６２’，１７２’とも呼ばれる。
【００７９】
図３には、この設備１０の第三の実施構成が模式的に図示されている。この実施構成は、図２の第二の実施構成と類似しており、そのため、以下では、特に、それらの相違点を詳しく説明する。
【００８０】
この実施構成では、設備１０は、第一の制御巻線１１と誘導結合され、その巻線から電気的に分離された第一の粗巻線１９と、第二の制御巻線１３と誘導結合され、その巻線から電気的に分離された第二の粗巻線２０とを有する。第一の粗巻線１９の図３で上方の第一の終端は第一の設備端子１０１と繋がっており、第一の粗巻線１９の下方の第二の終端は第一の転流端子１６２’と接続されている。第二の粗巻線２０の下方の第一の終端は第二の設備端子１０２と繋がっており、第二の粗巻線２０の上方の第二の終端は追加の第二の転流端子１７２’と接続されている。
【００８１】
この実施構成では、切換装置１５は、図２の第二の実施構成と類似した第三の実施構成に基づき構成されており、そのため、以下では、特に、それらの相違点を詳しく説明する。
【００８２】
この実施構成では、各予選択器１８’，１８’’は粗選択器として構成されている。各負荷時タップ切換器１６，１７では、各第一の予選択器端子１８１’，１８１’’は各粗巻線１９，２０の第一の終端と直接的に接続されており、各第二の予選択器端子１８２’，１８２’’は各粗巻線１９，２０の第二の終端と直接的に接続されており、各基本端子１８３’，１８３’’は各制御巻線１１，１３の第一の終端と直接的に接続されている。
【００８３】
図４には、この設備１０の第四の実施構成が模式的に図示されている。この実施構成は、図１の第一の実施構成と類似しており、そのため、以下では、特に、それらの相違点を詳しく説明する。
【００８４】
この実施構成では、設備１０は、例えば、高圧側又は一次側２１と低圧側又は二次側２２を有する単相式制御変圧器を構成する。この設備１０は、交流電力網又は（図示されていない）別の交流電力網の（図示されていない）電力線と繋がっているか、或いは繋げることが可能な第三と第四の設備端子１０３，１０４を有する。これらの制御巻線１１，１３は、一次側２１の一部を構成する。この設備１０は、一次側２１に、第一の制御巻線１１と誘導結合されて、直列に接続された第一の主巻線２３を有し、二次側２２に、一次側２１の巻線１１，１３，２１と誘導結合されて、それらから電気的に分離された第二の主巻線２４を有する。この第一の主巻線２３は、第一の主巻線１１の第一の終端と第一の設備端子１０１の間で直列に接続されている。第二の主巻線２４の図４で上方の終端は第三の設備端子１０３と接続されており、下方の終端は第四の設備端子１０４と接続されている。
【００８５】
図５には、この設備１０の第五の実施構成が模式的に図示されている。この実施構成は、図４の第四の実施構成と類似しており、そのため、以下では、特に、それらの相違点を詳しく説明する。
【００８６】
この実施構成では、制御巻線１１，１３と第一の主巻線２３は、二次側２２を構成し、第一と第二の設備端子１０１，１０２の間ではなく、第三と第四の設備端子１０３，１０４の間で切り換えられる。第二の主巻線２６は、二次側２２を構成し、第三と第四の設備端子１０３，１０４の間ではなく、第一と第二の設備端子１０１，１０２の間で切り換えられる。
【００８７】
図６には、この設備１０の第六の実施構成が模式的に図示されている。この実施構成は、図１の第一の実施構成と類似しており、そのため、以下では、特に、それらの相違点を詳しく説明する。
【００８８】
この実施構成では、第一の実施構成の最も下の第一のタップ１２が省略されて、第一の制御巻線１１の第二の終端が第二の制御巻線１３の第二の終端と繋がっており、そのため、これらの制御巻線１１，１３は電気的に互いに分離されていない。
【００８９】
この実施構成では、切換装置１５は、図１の第一の実施構成と類似した第四の実施構成に基づき構成されており、そのため、以下では、特に、それらの相違点を詳しく説明する。
【００９０】
この実施構成では、図６で最も下の第一の切換端子１６２’’が第一のタップ１２と直接的に接続されておらず、従って、第一の接続端子１６２’’を構成する。第二の分流端子１７１は、第一の分流端子１６１ではなく、この第一の接続端子１６２’’と直接的に接続されている。この第一の分流端子１６１は、第二の設備端子１０２と繋がっている。
【００９１】
図７には、この設備１０の第七の実施構成が模式的に図示されている。この実施構成は、図６の第六の実施構成と類似しており、そのため、以下では、特に、それらの相違点を詳しく説明する。
【００９２】
この実施構成では、図６で最も上の二つの第一のタップ１２の間に有った、第一の制御巻線１１の第六の実施構成で規定された、或いは存在した最も上のタップ巻線区画と、最も上の第一のタップ１２とが省略されている。
【００９３】
この実施構成では、切換装置１５は、図６の第四の実施構成と類似した第五の実施構成に基づき構成されており、そのため、以下では、特に、それらの相違点を詳しく説明する。
【００９４】
この実施構成では、第四の実施構成で規定された、或いは存在した最も上の第一のタップ端子１６２が省略されている。この切換装置１５は、二つの負荷時タップ切換器１６，１７に関して共通に、二つの予選択器端子１８２，１８２、一つの基本端子１８３及び一つの可動接点１８４を備えて、転極器として構成された予選択器１８を有する。この第一の予選択器端子１８１は第一の制御巻線２３の第一の終端と直接的に接続されており、第二の予選択器端子１８２は第二の制御巻線２４の第一の終端と直接的に接続されており、基本端子１８３は第一の設備端子１０１と直接的に接続されている。
【００９５】
有利には、この第一の負荷時タップ切換器１６は、第一の可動接点システム１６３によって接触させることが可能である、基本端子１８３と接続されているが、第一のタップ１２の中の一つと接続されていない転流端子１６２’を有する。
【００９６】
図８では、上方に第一の負荷時タップ切換器１６の第一の実施構成が模式的に図示されている。図８では、第二の負荷時タップ切換器１７は、下方に模式的に図示されており、同じくその実施構成に基づき構成されているが、それ以外の構成に基づき構成することもできる。
【００９７】
この実施構成では、各負荷時タップ切換器１６，１７は、負荷切換器として構成されており、二つの切換端子２５１’，２５１’’；２５２’，２５２’’、一つの基本端子２５３’，２５３’’及び各基本端子２５３’，２５３’’と接続された、選択的に各切換端子２５１’，２５１’’；２５２’，２５２’’の各々と負荷時に無中断で電気的に接触させることが可能な一つの可動接点を備えた負荷切換器２５’，２５’’を有する。この第一の可動接点システム１６３は、選択器として構成されており、第一の選択器１６３とも呼ばれる。この第二の可動接点システム１７３は、選択器として構成されており、第二の選択器１７３とも呼ばれる。各選択器１６３，１７３は、互いに独立して動かすことが可能な二つの可動選択アーム２６’，２６’’；２７’，２７’’を有する。各第一の選択アーム２６’，２６’’は、各第一の切換端子２５１’，２５１’’と接続されており、選択的にそれぞれ（図８の上方から数えて）第一と第三の切換端子１６２，１７２と電気的に接触させることが可能である。各第二の選択アーム２７’，２７’’は、各第二の切換端子２５２’，２５２’’と接続されており、選択的にそれぞれ第二と第四の切換端子１６２，１７２と電気的に接触させることが可能である。
【００９８】
図９では、上方に第一の負荷時タップ切換器１６の第二の実施構成が模式的に図示されている。図９では、第二の負荷時タップ切換器１７は、下方に模式的に図示されており、同じくその実施構成に基づき構成されているが、それ以外の構成に基づき構成することもできる。この実施構成は、図８の第一の実施構成と類似しており、そのため、以下では、特に、それらの相違点を詳しく説明する。
【００９９】
この実施構成では、各負荷時タップ切換器１６，１７は、負荷選択器として構成されている。第一の実施構成の負荷切換器２５’，２５’’は省略されている。各負荷時タップ切換器１６，１７では、各選択アーム２６’，２６’’；２７’，２７’’は、共通に予め決めた間隔で互いに動かすことだけが可能である。これらは、各分流端子１６１，１７１と接続されており、選択的に各切換端子１６２，１７２の各々と負荷時に無中断で電気的に接触させることが可能である。各切換端子１６２，１７２は、各選択アーム２６’，２６’’；２７’，２７’’の方を向いた接点面を有する。各負荷時タップ切換器１６，１７では、移動方向における接点面の寸法に関して、各選択アーム２６’，２６’’；２７’，２７’’の接点尖端の間の間隔が、図９に図示された静止状態において、二つの接点尖端が同じ接点面に当接するように選定されている。それぞれ二つの隣り合う接点面の間の隙間が、接点尖端の間の間隔よりも小さくなるように選定されており、その結果、選択アーム２６’，２６’’；２７’，２７’’が隣の接点面に移動した場合、常に選択アーム２６’，２６’’；２７’，２７’’の中の少なくとも一つが隣り合う接点面の中の少なくとも一つに当接する。
【０１００】
図１０には、この設備１０の第八の実施構成が模式的に図示されている。この実施構成は、図６の第六の実施構成と類似しており、そのため、以下では、特に、それらの相違点を詳しく説明する。
【０１０１】
この実施構成では、設備１０は、別の二つの制御巻線１１，１３から電気的に分離され、共通の磁心上に設置された四つの第三のタップ２９を備えた第三の制御巻線２８を有し、その結果、全ての三つの制御巻線１１，１３，２８が誘導結合されて、同じ磁力線を通過させる。第二の設備端子１０２には、第一の分流端子１６１ではなく、第三の制御巻線２８の図１０で下方の第一の終端が繋がっている。
【０１０２】
この実施構成では、切換装置１５は、図６の第四の実施構成と類似した第六の実施構成に基づき構成されており、そのため、以下では、特に、それらの相違点を詳しく説明する。
【０１０３】
この実施構成では、切換装置１５は、第三の分流端子３０１とも呼ばれる一つの分流端子３０１、第三の切換端子３０２とも呼ばれる四つの切換端子３０２及び第三の可動接点システム３０３とも呼ばれる可動接点システム３０３を備えた第三の負荷時タップ切換器３０を有する。
【０１０４】
これらの第三の切換端子３０２は、それぞれ第三のタップ２９に割り振られて、それと直接的に接続されており、第三のタップとも呼ばれる。この第三の可動接点システム３０３は、第三の分流端子３０１と接続されており、選択的にそれぞれ第三のタップ端子３０２と電気的に接触させることが可能である。
【０１０５】
この実施構成では、第一の分流端子１６１は、第二の設備端子１０２ではなく、第三の分流端子３０１と繋がっている。
【０１０６】
図１０で最も上の第三のタップ２９は第三の制御巻線２８の上方の第二の終端と繋がっており、最も下の第三のタップ２９は第三の制御巻線２８の第二の終端と繋がっているか、或いはその第二の終端を構成する。
【０１０７】
図１１には、この設備１０の第九の実施構成が模式的に図示されている。この実施構成は、図６の第六の実施構成と類似しており、そのため、以下では、特に、それらの相違点を詳しく説明する。
【０１０８】
この実施構成では、設備１０は、第一の設備端子１０１と第一の制御巻線１１の第一の終端の間で直列に接続されている、共通の磁心上に設置された三つの第三のタップ２９を備えた第三の制御巻線２８を有し、その結果、全ての三つの制御巻線１１，１３，２８が誘導結合されて、同じ磁力線を通過させる。
【０１０９】
この実施構成では、切換装置１５は、図１０の第六の実施構成と類似した第七の実施構成に基づき構成されており、そのため、以下では、特に、それらの相違点を詳しく説明する。
【０１１０】
この実施構成では、第三の負荷時タップ切換器３０は、第一の負荷時タップ切換器１６と構造が同じであり、それと同様に第三の制御巻線２８と接続されている。図１１で最も下の第三の切換端子３０２’’は、第三の接続端子３０２’’を構成する。
【０１１１】
この第一の分流端子１６１は、第二の設備端子１０２ではなく、第三の接続端子３０２’’と繋がっている。この第二の設備端子１０２には、第三の分流端子３０１が繋がっている。
【０１１２】
図１２には、この設備１０の第十の実施構成が模式的に図示されている。この実施構成は、図１の第一の実施構成と類似しており、そのため、以下では、特に、それらの相違点を詳しく説明する。
【０１１３】
この実施構成では、切換装置１５は、図１の第一の実施構成と類似した第八の実施構成に基づき構成されており、そのため、以下では、特に、それらの相違点を詳しく説明する。
【０１１４】
この実施構成では、切換装置１５は、負荷時タップ切換器１６，１７を設置するための（図示されていない）台座を備えた単一の切換機器３１を有する。そのため、負荷時タップ切換器１６，１７は、共通の切換機器３１内に構造ユニットとして統合されて、それにより実現又は構成されている。この切換機器３１は、外部とのインタフェースとして、タップ１２，１４と繋がった切換端子１６２，１７２を有する。
【０１１５】
図１３には、この設備１０の第十一の実施構成が模式的に図示されている。この実施構成は、図２の第二の実施構成と類似しており、そのため、以下では、特に、それらの相違点を詳しく説明する。
【０１１６】
この実施構成では、切換装置１５は、図２の第二の実施構成と類似した第九の実施構成に基づき構成されており、そのため、以下では、特に、それらの相違点を詳しく説明する。
【０１１７】
この実施構成では、切換装置１５は、負荷時タップ切換器１６，１７をその予選択器１８’，１８’’を含めて設置するための（図示されていない）台座を備えた単一の切換機器３１を有する。そのため、負荷時タップ切換器１６，１７は、共通の切換機器３１内に構造ユニットとして統合されて、それにより実現又は構成されている。この切換機器３１は、外部とのインタフェースとして、タップ１２，１４及び第一と第二の設備端子１０１，１０２と繋がった切換端子１６２，１６２’；１７２，１７２’と、制御巻線１１，１３の終端及び第一と第二の設備端子１０１，１０２と繋がった第一と第二の予選択器端子１８１’，１８１’’；１８２’，１８２’’及び基本端子１８３’，１８３’’とを有する。
【０１１８】
図１４には、この設備１０の第十二の実施構成が模式的に図示されている。この実施構成は、図３の第三の実施構成と類似しており、そのため、以下では、特に、それらの相違点を詳しく説明する。
【０１１９】
この実施構成では、切換装置１５は、図３の第三の実施構成と類似した第十の実施構成に基づき構成されており、そのため、以下では、特に、それらの相違点を詳しく説明する。
【０１２０】
この実施構成では、切換装置１５は、負荷時タップ切換器１６，１７をその予選択器１８’，１８’’を含めて設置するための（図示されていない）台座を備えた単一の切換機器３１を有する。そのため、負荷時タップ切換器１６，１７は、共通の切換機器３１内に構造ユニットとして統合されて、それにより実現又は構成されている。この切換機器３１は、外部とのインタフェースとして、タップ１２，１４及び粗巻線１９，２０の第二の終端と繋がった切換端子１６２，１６２’；１７２，１７２’と、粗巻線１９，２０の終端及び制御巻線１１，１３の第一の終端と繋がった第一と第二の予選択器端子１８１’，１８１’’；１８２’，１８２’’及び基本端子１８３’，１８３’’とを有する。
【０１２１】
図示されていない実施構成では、図１０の第六の実施構成又は図１１の第七の実施構成に基づき構成された切換装置１５の三つの負荷時タップ切換器１６，１７，３０が、共通の切換機器３１内に構造ユニットとして統合されて、それにより実現又は構成されている。
【０１２２】
図１５、１６、１７、１８及び１９には、図１４の第十の実施構成と類似した切換装置１５の第十一の実施構成が図示されており、そのため、以下では、特に、それらの相違点を詳しく説明する。
【０１２３】
この実施構成では、各負荷時タップ切換器１６，１７は、図８の第一の実施構成に基づき構成されているが、１７個の第一の切換端子１６２と１７個の第二の切換端子１７２を有し、図１４の第十の実施構成では、更に、粗選択器として構成された予選択器１８’，１８’’を有する。この台座３２は、負荷切換器２５’，２５’’を設置するための負荷切換器用台座３２１と、選択器１６３，１７３を重ねて設置するための選択器用台座３２２とを有する。この負荷切換器用台座３２１は、絶縁油で満たされた、内部に負荷切換器２５’，２５’’を収容する、電気絶縁体から成る円筒形のオイルタンクとして構成されている。この選択器用台座３２２は、負荷切換器用台座３２１の下側に固定されており、選択器シャフト３３と、電気絶縁体から成る垂直選択器バー３５及び電気絶縁体から成る垂直予選択器バー３６を備えた檻形状のフレームとを有する。
【０１２４】
これらの選択器バー３５は、選択器シャフト３３の周りの第一の円上に配置され、これらの予選択器バー３６は、予選択器シャフト３４の周りの第二の円上に配置されている。これらの選択器アーム２６’，２６’’，２７’，２７’’は、選択器シャフト３３上に回転可能な形で重ねて取り付けられ、負荷切換器アーム２５４’，２５４’’は、予選択器シャフト３４上に回転可能な形で重ねて取り付けられている。各選択器１６３，１７３では、各第一の選択器アーム２６’，２６’’に割り振られた切換端子１６２，１７２は、その第一の選択器アーム２６’，２６’’が置かれた平面内において選択器バー３５と固定され、各第二の選択器アーム２７’，２７’’に割り振られた切換端子１６２，１７２及び各第二の選択器アーム２７’，２７’’に割り振られた転流端子１６２’，１７２’は、その第二の選択器アーム２７’，２７’’が置かれた平面内において選択器バー３５と固定されている。各予選択器１８’，１８’’では、各可動接点１８４’，１８４’’に割り振られた予選択器端子１８１’，１８２’’，１８１’’，１８２’’及び各可動接点１８４’，１８４’’に割り振られた基本端子１８３’，１８３’’は、その可動接点１８４’，１８４’’が置かれた平面内において予選択器バー３６と固定されている。第一の転流端子１６２’は、第一の予選択器１８’の第二の予選択器端子１８２’と繋がっており、第二の転流端子１７２’は、第二の予選択器１８の第二の予選択器端子１８２’’と繋がっている。
【０１２５】
この円筒形の負荷切換器用台座３２１は、１２０°の三つの扇領域に対称的に分割されており、それらの中の図１８と１９で下方の扇領域は第一の負荷切換器２５’を収容し、上方の扇領域は第二の負荷切換器２５’’を収容している。負荷切換器用台座３２１の壁には、下方の平面内において、第一の負荷切換器２５’の切換端子２５１’が上方の扇領域に近い下方の扇領域内に固定され、第一の負荷切換器２５’の第二の切換端子２５１が右の扇領域に近い下方の扇領域内に固定され、第二の負荷切換器２５’’の第一の切換端子２５１’’が右の扇領域に近い上方の扇領域内に固定され、第二の負荷切換器２５’’の第二の切換端子２５２’’が下方の扇領域に近い上方の扇領域内に固定されている。負荷切換器用台座３２１の壁には、上方の平面内において、扇領域の境界に三つの端子が固定されており、それらの中の図１９で下方の端子が第一の負荷切換器２５’の基本端子２５３’及び第一の分流端子１６１としての役割を果たし、上方の端子が第二の負荷切換器２５’’の基本端子２５３’’及び第二の分流端子１７１としての役割を果たし、左の端子が第一の負荷切換器２５’の基本端子２５３’、第一の分流端子１６１、第二の負荷切換器２５’’の基本端子２５３’’及び第二の分流端子１７１としての役割を果たす。分流リング３７が、これら三つの端子と繋がっており、そのため、分流端子１６１，１７１の間の接続導線３７としての役割を果たす。
【０１２６】
そのような選択器用台座とそのような負荷切換器用台座を備えた負荷時タップ切換器は、例えば、ドイツのマシイネンファブリック・ラインハウゼン社から、「ＶＡＣＵＴＡＰ（登録商標）ＶＲＧＩＩ１３０２」との名称で提供されている。
【０１２７】
第一の接続導線３８は、第一の選択器１６３の第一の選択器アーム２６’及び第一の負荷切換器２５’の第一の切換端子２５１’と繋がっている。第二の接続導線３９は、第一の選択器１６３の第二の選択器アーム２７’及び第一の負荷切換器２５’の第二の切換端子２５２’と繋がっている。（図１５で第二の接続導線３９により部分的に遮られている）第三の接続導線４０は、第二の選択器１７３の第一の選択器アーム２６’’及び第二の負荷切換器２５’’の第一の切換端子２５１’’と繋がっている。（図１５で第一の接続導線３８により部分的に遮られている）第四の接続導線４１は、第二の選択器１７３の第二の選択器アーム２７’’及び第二の負荷切換器２５’’の第二の切換端子２５２’’と繋がっている。
【０１２８】
しかし、この選択器用台座３２２は、それ以外の構成に基づき構成することもでき、例えば、選択器バー３５及び／又は予選択器バー３６の代わりに、切換端子、転流端子、予選択器端子及び基本端子の中の一つ以上を固定するための、電気絶縁体から成るワンピースの円筒を有する。そのような選択器用台座を備えた負荷時タップ切換器は、例えば、スウェーデンのアーベーベー社から、「ＶＵＣＧ」との名称で提供されており、その負荷時タップ切換器は、更に、選択器用台座の二つの別の選択器の間に設置された第三の選択器を有する。
【０１２９】
この選択器用台座３２２は、例えば、選択器バー３５及び／又は予選択器バー３６の代わりに、切換端子、転流端子、予選択器端子及び基本端子の中の一つ以上を固定するための、電気絶縁体から成る部分円筒形又は円弧円筒形のセグメントを備えることができる。
【０１３０】
しかし、この負荷切換器用台座３２１は、それ以外の構成に基づき構成することもでき、例えば、互いに隣接し合う三つの列に対称的に分割して、それらの中の第一の列、例えば、一方の外側の列が第一の負荷切換器２５’を収容し、第二の列、例えば、他方の外側の列又は中央の列が第二の負荷切換器２５’’を収容することができる。そのような負荷切換器用台座を備えた負荷時タップ切換器は、例えば、スウェーデンのアーベーベー社から、「ＶＵＣＧ」との名称で提供されており、その負荷時タップ切換器は、更に、残る第三の列に収容された第三の負荷切換器を有する。
【０１３１】
本発明による設備１０、本発明による切換装置１５及び本発明による切換機器３１は、例えば、前述した負荷時タップ切換器「ＶＡＣＵＴＡＰ（登録商標）ＶＲＧＩＩ１３０２」又は前述した負荷時タップ切換器「ＶＵＣＧ」を用いて製造することができる。
【符号の説明】
【０１３２】
１０    電気設備、補償チョーク、制御変圧器
１０１，１０２，１０３，１０４    設備１０の第一、第二、第三及び第四の設備端子
１１    第一の制御巻線
１２    第一のタップ、第一の制御巻線１１のタップ
１３    第二の制御巻線
１４    第二のタップ、第二の制御巻線１３のタップ
１５    切換装置
１６    第一の負荷時タップ切換器
１６１    第一の負荷時タップ切換器１６の分流端子、第一の分流端子
１６２    第一の負荷時タップ切換器１６の切換端子、第一の切換端子
１６２’  第一の負荷時タップ切換器１６の転流端子、第一の転流端子
１６２’’  第一の負荷時タップ切換器１６の接続端子、第一の接続端子
１６３    第一の負荷時タップ切換器１６の可動接点システム、第一の可動接点システム、第一の選択器
１７    第二の負荷時タップ切換器
１７１    第二の負荷時タップ切換器１７の分流端子、第二の分流端子
１７２    第二の負荷時タップ切換器１７の切換端子、第二の切換端子
１７２’  第二の負荷時タップ切換器１７の転流端子、第二の転流端子
１７３    第二の負荷時タップ切換器１７の可動接点システム、第二の可動接点システム、第二の選択器
１８，１８’．１８’’    共通、第一及び第二の予選択器
１８１，１８２，１８３，１８４    共通の予選択器１８の第一と第二の予選択器端子、基本端子及び可動接点
１８１’，１８２’，１８３’，１８４’    第一の予選択器１８’の第一と第二の予選択器端子、基本端子及び可動接点
１８１’’，１８２’’，１８３’’，１８４’’    第二の予選択器１８’’の第一と第二の予選択器端子、基本端子及び可動接点
１９    第一の粗巻線
２０    第二の粗巻線
２１    設備１０の一次側
２２    設備１０の二次側
２３    第一の主巻線
２４    第二の主巻線
２５’，２５’’    第一と第二の負荷切換器
２５１’，２５２’，２５３’    第一の負荷切換器２５’の第一と第二の切換端子及び基本端子
２５１’’，２５２’’，２５３’’    第二の負荷切換器２５’’の第一と第二の切換端子及び基本端子
２６’，２６’’    第一の選択器１６３と第二の選択器１７３の第一の選択器アーム
２７’，２７’’    第一の選択器１６３と第二の選択器１７３の第二の選択器アーム
２８    第三の制御巻線
２９    第三のタップ、第三の制御巻線２８のタップ
３０    第三の負荷時タップ切換器
３０１    第三の負荷時タップ切換器３０の分流端子、第三の分流端子
３０２    第三の負荷時タップ切換器３０の切換端子、第三の切換端子
３０２’’  第三の負荷時タップ切換器３０の接続端子、第三の接続端子
３０３    第三の負荷時タップ切換器３０の可動接点システム、第三の可動接点システム
３１    切換機器
３２    台座
３２１  台座３２の負荷切換器用台座
３２２  台座３２の選択器用台座
３３    選択器用台座３２２の選択器シャフト
３４    選択器用台座３２２の予選択器シャフト
３５    選択器用台座３２２の選択器バー
３６    選択器用台座３２２の予選択器バー
３７    第一の分流端子１６１と第二の分流端子１７１の間の分流リング、接続導線
３８    第一の接続導線
３９    第二の接続導線
４０    第三の接続導線
４１    第四の接続導線
【図１】
0006586461.tif 000002
【図２】
0006586461.tif 000003
【図３】
0006586461.tif 000004
【図４】
0006586461.tif 000005
【図５】
0006586461.tif 000006
【図６】
0006586461.tif 000007
【図７】
0006586461.tif 000008
【図８】
0006586461.tif 000009
【図９】
0006586461.tif 000010
【図１０】
0006586461.tif 000011
【図１１】
0006586461.tif 000012
【図１２】
0006586461.tif 000013
【図１３】
0006586461.tif 000014
【図１４】
0006586461.tif 000015
【図１５】
0006586461.tif 000016
【図１６】
0006586461.tif 000017
【図１７】
0006586461.tif 000018
【図１８】
0006586461.tif 000019
【図１９】
0006586461.tif 000020